(57)【要約】【課題】  省エネルギーモードの効果を最大限に引き出すことができると共に、二次電池の寿命を延ばすことができる画像形成装置を提供する。【解決手段】  商用電源の電力を装置の各部へ供給する主電源と、この主電源により充電される二次電池とを備えた画像形成装置において、省エネルギー制御部が、主電源の入力電圧を監視する。省エネルギーモード時において、省エネルギー制御部が、主電源の入力電圧が所定の値よりも低下したか否かを判断し（ステップ１１０）、この判断が肯定された場合には、二次電池がオフにされる（ステップ１１４）。この結果、二次電池からの電力供給が停止され、二次電池は不要に放電することがない。従って、画像形成装置に電源を再度投入したときには、二次電池を省エネルギーモードでの使用に耐えうるだけ充電するのに要する充電量が少なくなり、二次電池に余計な負荷をかけることがなくなる。【選択図】  図２
2005238786.tif 000002
【特許請求の範囲】
【請求項１】
商用電源の電力を装置の各部へ供給する主電源と、
前記主電源により充電される二次電池と、
通常モード時に前記主電源から前記装置各部に電力が供給され、省エネルギーモード時に前記主電源からの電力供給を停止し、前記二次電池から前記装置の所定部に電力が供給されるように切り換える切換手段と、
前記二次電池による電力供給が不要になったか否かを判断する判断手段と、
前記判断手段により前記二次電池による電力供給が不要になったと判断されたときに、前記二次電池から前記装置の所定部への電力供給を停止する停止手段と、
を含む画像形成装置。
【請求項２】
前記判断手段は、前記主電源に供給される商用電源の電圧が低下したか否かを判断し、該電圧が低下したときに、前記二次電池による電力供給が不要になったと判断する請求項１記載の画像形成装置。
【請求項３】
前記判断手段は、前記商用電源と前記主電源との間にある電源スイッチがオフになったか否かを判断し、該電源スイッチがオフになったときに、前記二次電池による電力供給が不要になったと判断する請求項１記載の画像形成装置。
【請求項４】
前記二次電池からの電力供給を停止する際に、省エネルギーモードから電源オフ状態に移行することを報知する報知手段を更に含む請求項１〜３の何れか１項記載の画像形成装置。
【発明の詳細な説明】
【技術分野】
【０００１】
本発明は、画像形成装置に係り、特に、所定条件が満たされた場合に、画像形成可能な運転状態（通常モード）と、この通常モードよりも消費電力が抑えられた運転状態（省エネルギーモード）とが切り換え可能とされた画像形成装置に関する。
【背景技術】
【０００２】
例えば、複写機、レーザプリンタ、インクジェットプリンタ、昇華型プリンタ、ファクシミリ等の画像形成装置の中には、当該装置を構成するシステムが複数のモジュールに分割されたものがある。さらに、複数のモジュールでシステムが構成された画像形成装置の中には、画像形成可能な運転状態（通常モード）と、この通常モードよりも消費電力が抑えられた運転状態（省エネルギーモード）とが切換可能とされたものがある。通常モードでは、消費電力が例えば１２Ｗ程度とされるが、省エネルギーモード時には、上記システムのモジュールのうち特定のモジュール（例えば、システム全体の動作を制御する制御回路あるいはその一部）のみに電力が供給され、消費電力が例えば５Ｗ程度にまで抑えられる。
【０００３】
またさらに、上記の通常モードと省エネルギーモードとが切換可能とされた画像形成装置の中には、商用電源から装置の電源スイッチを介して供給される電力を各モジュールに供給する主電源と、予め蓄えられた電力を主電源オフ時に上記特定のモジュールに供給する二次電池とが共に設けられたものがあり、その例が下記特許文献１及び特許文献２に開示されている。
【０００４】
このような主電源及び二次電池が共に設けられた画像形成装置では、予め通常モード時に二次電池を主電源から供給された電力により充電しておき、通常モードから省エネルギーモードに移行した場合に二次電池から上記特定のモジュールに電力を供給することで、省エネルギーモード時における商用電源からの電力の消費量をほぼ０Ｗに抑える構成である。
【特許文献１】特開平７−１８６４９２号公報
【特許文献２】特開２００３−２９５７９号公報
【発明の開示】
【発明が解決しようとする課題】
【０００５】
しかしながら、このような画像形成装置では、省エネルギーモードで二次電池による電力供給が行われている際に、装置の利用者が当該装置の電源スイッチをオフにしたり、あるいはコンセントから当該装置の電源プラグを抜いてしまう（すなわち、イレギュラーな操作により装置そのものが電源オフ状態とされる）ようなことがあっても、二次電池は電力供給を引き続き行う構成となっている。このため、二次電池は不要に放電を行ってしまう。この結果、装置に電源を再度投入して当該装置を利用する際には、二次電池は、蓄電量がさらに減った状態となり、不要に放電した分だけ余計に充電しなければならなくなる。
【０００６】
また、通常モード時であっても上記のイレギュラーな操作が行われてしまうと、装置が電源オフ状態であるにも拘らず、二次電池は不要に放電してしまう。この結果、前述と同様に、装置に電源を再度投入して当該装置を利用する際には、不要に放電した分だけ余計に充電しなければならなくなる。
【０００７】
従って、装置の電源オン・オフが繰り返し行われるうちに二次電池の放電及び充電が不要に相当数行われることになり、二次電池の寿命を縮めてしまうという欠点があった。
【０００８】
またこの場合、上述のように二次電池は不要に放電を行ってしまうことから、装置に電源を再度投入して二次電池を省エネルギーモードでの使用に十分に耐えうるだけ充電するには、相当の時間を要する。このため、通常モードから省エネルギーモードに移行するための所定条件が満たされた時点では、二次電池の充電が十分ではないことがある。従ってこのときには、省エネルギーモードに移行できないか、省エネルギーモードに移行できたとしても二次電池の充電が続けられ、商用電源からの電力を消費してしまい、装置の利用者が望んでいるほどは電力の節減ができない。
【０００９】
またさらに、省エネルギーモードでは、液晶表示等の点灯式操作パネルがオフ状態（消灯状態）となっている構成のものが多い。このような構成の画像形成装置では、省エネルギーモード中に、例えば当該装置の傍らを通り過ぎた人が脚に電源コードを引っ掛けてしまう等、何らかの原因により電源プラグがコンセントから抜けてしまうと、点灯式操作パネル上では何も変化がないため、装置の利用者は、電源プラグがコンセントから抜けたことに気付かない。従って、その後に通常モードに切り換える操作を行っても装置は運転せず、当該装置の利用者は、その原因究明に時間を浪費してしまうという欠点があった。
【００１０】
本発明は、上記問題点に鑑み、省エネルギーモードの効果を最大限に引き出すことができると共に、二次電池の寿命を延ばすことができる画像形成装置を提供することを目的とする。
【課題を解決するための手段】
【００１１】
請求項１に記載の発明に係る画像形成装置は、商用電源の電力を装置の各部へ供給する主電源と、前記主電源により充電される二次電池と、通常モード時に前記主電源から前記装置各部に電力が供給され、省エネルギーモード時に前記主電源からの電力供給を停止し、前記二次電池から前記装置の所定部に電力が供給されるように切り換える切換手段と、前記二次電池による電力供給が不要になったか否かを判断する判断手段と、前記判断手段により前記二次電池による電力供給が不要になったと判断されたときに、前記二次電池から前記装置の所定部への電力供給を停止する停止手段と、を含んで構成したものである。
【００１２】
請求項１に記載の発明に係る画像形成装置の主電源は、商用電源に接続されており、商用電源から供給された電力を装置の各部へ供給する。一方、二次電池は、上記の主電源から電力が供給されることで充電される。
【００１３】
このような主電源と二次電池との両者を備えた本画像形成装置では、通常モード時には、主電源から上記の装置各部に電力が供給される。一方、省エネルギーモード時には、この主電源からの電力供給を停止し、二次電池から装置の所定部に電力が供給される。これらのモードは、切換手段によって切り換えられる。
【００１４】
さらに、判断手段では、上記の二次電池による電力供給が不要になったか否かが判断される。前記判断手段は、例えば、請求項２に記載の発明のように、前記主電源に供給される商用電源の電圧が低下したか否かを判断し、該電圧が低下したときに、前記二次電池による電力供給が不要になったと判断することができる。また、前記判断手段は、請求項３に記載の発明のように、前記商用電源と前記主電源との間にある電源スイッチがオフになったか否かを判断し、該電源スイッチがオフになったときに、前記二次電池による電力供給が不要になったと判断することができる。この判断手段によって、二次電池による電力供給が不要となったと判断された場合には、停止手段によって、二次電池から装置の所定部への電力供給が停止される。
【００１５】
本請求項１に記載の画像形成装置では、二次電池による電力供給が不要となった場合に、二次電池から上記所定部へ電力が供給されることが阻止されるため、二次電池は、不要に放電することがない。
【００１６】
この結果、装置に電源を再度投入して当該装置を利用する際であって二次電池が充電されるときには、二次電池の充電時間を短くすることができる。またこのため、例えば、装置の電源オン直後であっても、直ちに通常モードから省エネルギーモードに移行すること等ができる。
【００１７】
従って、本画像形成装置は、省エネルギーモードの効果をより一層高めて最大限に利用することができる。
【００１８】
また、上述のように、本画像形成装置では、二次電池による電力供給が不要となった場合に、二次電池が不要に放電することはなく、この結果、装置に電源を再度投入して当該装置を利用する際、たとえ二次電池を充電するようなことがあっても、二次電池に余計な負荷をかけることがなくなる。
【００１９】
従って、本画像形成装置は、二次電池の寿命を延ばすことができる。
【００２０】
請求項４に記載の発明に係る画像形成装置は、請求項１〜３の何れか１項に記載の発明において、前記二次電池からの電力供給を停止する際に、省エネルギーモードから電源オフ状態に移行することを報知する報知手段を更に含むものである。
【００２１】
請求項４に記載の発明に係る画像形成装置によれば、報知手段を更に備えているため、二次電池から上記所定部への電力供給を停止する際に、省エネルギーモードから電源オフ状態に移行することが報知される。
【００２２】
従って、請求項４に記載の画像形成装置は、装置が電源オフ状態に移行することを当該装置の利用者に認識させることができ、ひいては、装置が運転しない原因の究明に装置の利用者が時間を浪費してしまうことを回避できる。
【発明の効果】
【００２３】
以上説明したように、本発明に係る画像形成装置は、二次電池による電力供給が不要になったときに二次電池からの電力供給を停止するので、省エネルギーモードの効果を最大限に生かすことができ、さらには、二次電池の寿命を延ばすことができる、という効果が得られる。
【発明を実施するための最良の形態】
【００２４】
図１には、本発明の実施の形態に係る画像形成装置１０の概略がブロック図にて示されている。以下、本実施の形態では、説明の都合上、画像形成装置１０としてインクジェット方式により画像を形成するインクジェット・プリンタを例に取り説明する。
【００２５】
画像形成装置１０は、主電源１２と、二次電池１４と、マイクロコンピュータ等で構成された省エネルギー制御部２２と、を備えている。
【００２６】
主電源１２は、画像形成装置１０の側部に設けられた電源スイッチ３６を介して商用電源３８に接続されている。このため、主電源１２には、電源スイッチ３６がオン状態の場合に、商用電源３８から電力が供給される。また、主電源１２の後段には、電力供給線４０を介して、紙送りやインクヘッド移動用のモータを駆動させる回路から成るモータ駆動部１６と、インクヘッドを駆動させる回路から成る画像記録部１８と、画像形成装置１０全体の制御（画像の形成、モータ、センサ等の制御）を行うシステム制御部２０と、が設けられており、主電源１２によってこれらの各部に上記商用電源３８の電力が供給される。
【００２７】
またさらに、主電源１２の後段には、電力供給線４２を介して、二次電池１４と、省エネルギー制御部２２と、が設けられており、主電源１２によって二次電池１４及び省エネルギー制御部２２にも上記商用電力３８の電力が供給される。
【００２８】
二次電池１４は、主電源１２から電力が供給されることで充電され、主電源１２から電力が供給されない場合には、二次電池１４と省エネルギー制御部２２との間に配設された電力供給線４４を介して、上記充電により蓄えられた電力を省エネルギー制御部２２に供給する。
【００２９】
省エネルギー制御部２２は、画像形成装置１０の側部に設けられたブザー３０に接続されており、このブザー３０のオン・オフ制御をすることが可能とされている。
【００３０】
また、この省エネルギー制御部２２は、制御回路２４と、フロントパネル回路２６と、を備えている。
【００３１】
省エネルギー制御部２２を構成する制御回路２４は、インタフェース部３２を介してネットワーク上のホストコンピュータ３４に接続されており、ホストコンピュータ３４から出力された印刷指示を受けたり、画像形成装置１０の運転状態等をホストコンピュータ３４に通知すること等が可能とされている。すなわち、制御回路２４が上記の印刷指示を受けると、画像記録部１８によりインクヘッドが駆動されて印字が開始され、一方、ホストコンピュータ３４は、画像形成装置１０の運転状態等が通知されると、自身のモニタ上にその内容を表示する。
【００３２】
また、制御回路２４と共に省エネルギー制御部２２を構成するフロントパネル回路２６は、画像形成装置１０の上部で露出して設けられかつ液晶ディスプレイ等で構成されたフロントパネル２８に接続されており、フロントパネル２８に所定のメッセージを表示させたり、装置の利用者がフロントパネル２８を操作することで入力された省エネルギーモード解除指示を受けること等が可能とされている。
【００３３】
以上説明したような省エネルギー制御部２２は、主電源１２、二次電池１４の電力供給をオン・オフさせるための制御信号が伝送される制御信号線を介して主電源１２及び二次電池１４の各々に接続されており、制御信号を出力して主電源１２、二次電池１４それぞれの電力供給のオン・オフを別個に切り換えることができる。
【００３４】
省エネルギー制御部２２には、このような制御信号を出力するための条件が設定されている。本実施の形態では、通常モード時においてホストコンピュータ３４から印字開始命令やフロントパネル２８の操作が予め設定されている所定期間以上無かったか否か、省エネルギーモード時において二次電池１４の出力電圧が所定の値よりも低下したか否か、二次電池１４の出力電圧が上記低下した状態から充電により回復したか否か、省エネルギーモード時において主電源１２の入力電圧が所定の値よりも低下したか否か、省エネルギーモード時において操作パネル２８又はホストコンピュータ３４から省エネルギーモード解除指示を受けたか否かが、上記制御信号を出力するための条件とされている。
【００３５】
また、省エネルギー制御部２２が後述する電力供給停止処理ルーチンを実行することにより、省エネルギー制御部２２には、通常モード時だけでなく、省エネルギーモード時にも電力が供給される。このため、省エネルギー制御部２２は、省エネルギーモード時であっても主電源１２、二次電池１４それぞれの電力供給のオン・オフを切り換えることができる。すなわち、省エネルギー制御部２２は、省エネルギーモード時の画像形成装置１０の動作を制御することができる。
【００３６】
また、省エネルギー制御部２２は、電源スイッチ３６の主電源１２側（出力側）と電圧監視用接続線を介して接続されている。省エネルギー制御部２２は、この電圧監視用接続線を介して自身に入力される電圧を監視することで、商用電源３８から電源スイッチ３６を介して主電源１２に入力される電圧を監視する。省エネルギー制御部２２は、省エネルギーモード時において主電源１２の入力電圧が所定の値よりも低下したと判断した場合には、二次電池１４から電力供給線４４を介して供給される電力を機械的に遮断すると共に、画像形成装置１０が省エネルギーモードから電源オフ状態に移行することを、上記のブザー３０、フロントパネル２８、及びホストコンピュータ３４に報知させる。
【００３７】
次に、本発明の実施の形態の作用について説明する。
【００３８】
図２には、省エネルギー制御部２２で実行される電力供給停止処理ルーチンが流れ図にて示されている。
【００３９】
このルーチンが起動されるとステップ１００において、通常モードから省エネルギーモードに移行する条件（省エネ条件）が成立したか否かが判断される。すなわち、ステップ１００では、省エネルギー制御部２２は、ホストコンピュータ３４からの印刷指示又はフロントパネル２８の操作が予め設定されている所定期間以上無かったか否かの条件をチェックする。このステップ１００での判断が肯定されるとステップ１０２に移行し、否定されるとステップ１１８に移行する。
【００４０】
ステップ１００での判断が否定された場合には、ステップ１１８に移行し、省エネルギー制御部２２は、制御信号を主電源１２、二次電池１４それぞれに出力して、主電源１２をオンかつ二次電池１４をオフにさせる。この結果、二次電池１４には主電源１２から電力が供給され、二次電池１４は充電される。これと共に、主電源１２からは、電力供給線４２を介して省エネルギー制御部２２にも電力が供給される。なお、このステップ１１８では、主電源１２から電力供給線４０を介してモータ駆動部１６、画像記録部１８、システム制御部２０、及び省エネルギー制御部２２にも電力が供給される。このように、主電源１２がオンかつ二次電池１４がオフにされると、ステップ１２０に移行する。
【００４１】
ステップ１２０では、電源スイッチ３８の主電源１２側から電圧監視用接続線を介して省エネルギー制御部２２に入力される電圧に基づいて、商用電源３８から電源スイッチ３６を介して主電源１２に入力された電圧が所定の値よりも低下したか否かが省エネルギー制御部２２によって判断される。すなわち、装置の利用者によって電源スイッチ３６がオフにされたり、画像形成装置１０の傍らを通り過ぎた装置の利用者が装置の電源ケーブルに脚を引っ掛ける等して装置の電源プラグがコンセントから抜けたりした場合（イレギュラーな操作が行われた場合）には、主電源１２の入力電圧が０Ｖになるため、この判断が肯定され、二次電池１４による電力供給が不要であると判断される。このときには、二次電池１４をオフ状態にしたまま本電力供給停止処理ルーチンを終了する。一方、このステップ１２０での判断が否定された場合には、ステップ１００に戻り、上述した処理を繰り返す。
【００４２】
一方、ステップ１００での判断が肯定された場合には、ステップ１０２に移行し、省エネルギー制御部２２は、制御信号を主電源１２、二次電池１４それぞれに出力して、主電源１２をオフかつ二次電池１４をオンにさせる。この結果、二次電池１４には主電源１２から電力が供給されなくなる。これと共に、二次電池１４は、上記主電源１２がオン状態であった際に蓄えた電力を放出する。この電力は、電力供給線４４を介して省エネルギー制御部２２に供給され、省エネルギー制御部２２は、引き続いて作動する。なお、このステップ１０２では、主電源１２から電力供給線４０、４２を介してモータ駆動部１６、画像記録部１８、システム制御部２０、及び省エネルギー制御部２２に電力が供給されないため、商用電源３８から供給される電力を消費しない（省エネルギーモード）。
【００４３】
次いで、直ちにステップ１０４に移行し、省エネルギー制御部２２では、二次電池１４から電力供給線４４を介して入力される電圧に基づいて、二次電池１４の出力電圧が所定の値よりも低下したか否かが判断される。この判断が肯定されるとステップ１０６に移行し、否定されるとステップ１０８に移行する。
【００４４】
ステップ１０４での判断が肯定され、ステップ１０６に移行すると、省エネルギー制御部２２は、制御信号を主電源１２、二次電池１４それぞれに出力して、主電源１２をオンかつ二次電池１４をオフにさせる。この結果、二次電池１４及び省エネルギー制御部２２には、電力供給線４２を介して電力が供給される。従って、二次電池１４は主電源１２から供給された電力により充電されると共に、省エネルギー制御部２２は引き続き作動する。なお、この場合において、主電源１２は、電力供給線４０を介して、モータ駆動部１６、画像記録部１８、及びシステム制御部２０に電力を供給することはない。すなわち、省エネルギーモードは、継続される。次いで、ステップ１１０に移行する。
【００４５】
一方、上述のステップ１０４での判断が否定され、ステップ１０８に移行すると、省エネルギー制御部２２は、制御信号を主電源１２、二次電池１４それぞれに出力して、主電源１２をオフかつ二次電池１４をオンにさせる。この結果、二次電池１４の充電が停止されると共に、省エネルギー制御部２２には、二次電池１４から電力供給線４４を介して電力が供給される。次いで、ステップ１１０に移行する。
【００４６】
上記のステップ１０６での処理が終了する、あるいはステップ１０８での処理が終了すると、ステップ１１０に移行する。ステップ１１０では、上述のステップ１２０と同様に、省エネルギー制御部２２により、電源スイッチ３８の主電源１２側から電圧監視用接続線を介して省エネルギー制御部２２に入力される電圧に基づいて、商用電源３８から電源スイッチ３６を介して主電源１２に入力される電圧が所定の値よりも低下したか否かが判断される。すなわち、装置の利用者によって、電源スイッチ３６がオフにされたり、画像形成装置１０の傍らを通り過ぎた装置の利用者が装置の電源ケーブルに脚を引っ掛ける等して装置の電源プラグがコンセントから抜けたりした場合には、主電源１２の入力電圧が０Ｖになるため、この判断が肯定され、二次電池１４による電力供給が不要であると判断される。このようにステップ１１０での判断が肯定されると、ステップ１１２に移行する。一方、この判断が否定されると、ステップ１１６に移行する。
【００４７】
ステップ１１０での判断が否定され、ステップ１１６に移行した場合には、省エネルギーモードが解除されるか否かが判断される。ここでは、例えば、省エネルギー制御部２２がフロントパネル２８又はホストコンピュータ３４から省エネルギーモード解除指示を受けたか否か等がその判断条件とされ、この条件が満たされた場合には、省エネルギー制御部２２は、制御信号を主電源１２、二次電池１４それぞれに出力して、主電源１２をオンかつ二次電池１４をオフにさせる。この結果、主電源１２からは、電力供給線４０、４２を介して、モータ駆動部１６、画像記録部１８、システム制御部２０、省エネルギー制御部２２、二次電池１４に電力が供給される。この結果、省エネルギーモードが解除され、通常モードに移行する。このように、ステップ１１６での判断が肯定されて、省エネルギーモードから通常モードに復帰すると、ステップ１００に戻り、上述した処理が繰り返される。一方、このステップ１１６での判断が否定されると、省エネルギーモードが継続されるため、ステップ１０４に戻り、上述した処理が繰り返される。
【００４８】
また、上述のステップ１１０での判断が肯定され、ステップ１１２に移行した場合には、商用電源３８から主電源１２に電力が供給されない状態であると判断されるため、「画像形成装置１０が省エネルギーモードから電源オフ状態に移行すること」が報知される。この場合において、省エネルギー制御部２２によって、ブザー３０が所定期間鳴らされると共に、フロントパネル２８の液晶ディスプレイ及びホストコンピュータ３４のモニタに「電源オフ状態に移行します。」という文字が表示される。従って、画像形成装置１０が電源オフ状態に移行することを装置の利用者に認識させることができ、ひいては、画像形成装置１０が運転しない原因の究明に装置の利用者が時間を浪費してしまうことを回避できる。なお、ブザー３０、フロントパネル２８が作動するための電力は、二次電池１４から省エネルギー制御部２２を介して供給される。このような報知が行われると、ステップ１１４に移行する。
【００４９】
ステップ１１４では、省エネルギー制御部２２は、二次電池１４に制御信号を出力して、二次電池１４をオフにさせる。この結果、二次電池１４は、上述の充電により蓄えられた電力の供給を停止する。すなわち、二次電池１４による電力供給が不要となった場合には、省エネルギー制御部２２によって二次電池１４の電力供給が阻止される。これにより、二次電池１４は、不要に放電することがない。この結果、画像形成装置１０に電源を再度投入したときには、二次電池１４を省エネルギーモードでの使用に十分に耐えうるだけ充電するのに要する充電量が、不要に放電が行われてしまう場合と比べて、少なくなる。
【００５０】
このため、二次電池１４の充電時間を短くすることができる。またこのため、画像形成装置１０の電源オン直後であっても、上記省エネ条件が成立した場合に直ちに通常モードから省エネルギーモードに移行することができたり、省エネルギーモード中に二次電池１４の充電のために主電源１２を立ち上げておく時間を短くすることができる。従って、本画像形成装置１０は、省エネルギー効果をより一層高めて最大限に利用することができる。
【００５１】
また、上述のように、二次電池１４による電力供給が不要となった場合に二次電池１４が不要に放電することはなく、この結果、二次電池１４を省エネルギーモードでの使用に十分に耐えうるだけ充電するのに要する充電量が少なくなるので、画像形成装置１０に電源を再度投入して画像形成装置１０を利用する際、たとえ二次電池１４を充電するようなことがあっても、二次電池１４に余計な負荷をかけることがなくなる。従って、本画像形成装置１０は、二次電池１４の寿命を延ばすことができる。
【００５２】
このようにして、二次電池１４が省エネルギー制御部２２によってオフにされると、電力供給停止処理ルーチンが終了する。
【００５３】
以上説明したように、本実施の形態に係る画像形成装置１０は、二次電池１４の不要な放電及び充電を強制的に阻止することで、二次電池１４の寿命を延ばすことができる。
【００５４】
なお、本実施の形態では、画像形成装置１０がインクジェット方式により画像を形成するものとして説明したが、本発明はこれに限らず、レーザビームプリンタ等、各種の画像形成装置に適用できる。本発明をレーザビームプリンタ等、各種の画像形成装置に適用した場合にも、上述した本実施の形態と同様の作用及び効果を奏することができる。
【００５５】
また、上記では、ブザー３０、フロントパネル２８、及びホストコンピュータ３４のモニタを用いて省エネモードから電源オフに移行したことを報知する報知手段として構成する例について説明したが、ブザー３０、フロントパネル２８、及びホストコンピュータ３４のモニタの何れか１つ、又は何れか２つを組み合せて報知手段を構成するようにしてもよい。
【００５６】
また、上記では、電源スイッチ３６が商用電源３８と主電源１２との間に配置されている例について説明したが、この電源スイッチ３６を省略したり、あるいは商用電源３６と主電源１２との間に介在させずに画像形成装置１０の他の位置に設けても良い。このような場合には、電源スイッチ３６の主電源１２側に接続されていた電圧監視用接続線を商用電源３８と主電源１２との間に接続すればよい。
【図面の簡単な説明】
【００５７】
【図１】本発明の実施の形態に係る画像形成装置の概略を示すブロック図である。
【図２】本発明の実施の形態に係る省エネルギー制御部での電力供給停止処理ルーチンを示す流れ図である。
【符号の説明】
【００５８】
１０    画像形成装置
１２    主電源
１４    二次電池
２２    省エネルギー制御部
２８    フロントパネル
３０    ブザー
３４    ホストコンピュータ
３６    電源スイッチ
【図１】
2005238786.tif 000003
【図２】
2005238786.tif 000004